(57)【要約】【課題】洗浄水の便鉢部外への飛び出しを抑制できる技術を提供する。【解決手段】鉢状の汚物受け面２４を有する便鉢部１６と、便鉢部１６の上端側部分を形成するリム部２６と、便鉢部１６内に洗浄水を吐き出すことによって旋回流を形成する吐水部４２と、を備え、便鉢部１６の前面部及び後面部のうちの一方の面部２２Ｘには、便鉢部１６の前後方向の一端部１６ｂが設けられ、吐水部４２から便鉢部１６の一端部１６ｂに至る洗浄水経路上に設けられ、洗浄水の少なくとも一部を上方に誘導する上方誘導部７２を備える。【選択図】図１０
2020026679.tif 000002
【特許請求の範囲】
【請求項１】
鉢状の汚物受け面を有する便鉢部と、
前記便鉢部の上端側部分を形成するリム部と、
前記便鉢部内に洗浄水を吐き出すことによって旋回流を形成する吐水部と、を備え、
前記便鉢部の前面部及び後面部のうちの一方の面部には、前記便鉢部の前後方向の一端部が設けられ、
前記吐水部から前記一端部に至る洗浄水経路上に設けられ、前記洗浄水の少なくとも一部を上方に誘導する上方誘導部を備える水洗大便器。
【請求項２】
前記上方誘導部により上方に誘導された洗浄水は、前記洗浄水経路上にて上向きに流れてから下向きに流れる誘導流を形成する請求項１に記載の水洗大便器。
【請求項３】
前記誘導流は、下向きに流れる過程で他の水流と合流しつつ、その合流した他の水流とともに前記一方の面部を伝う過程で遠心力により上向きに流れる請求項２に記載の水洗大便器。
【請求項４】
前記リム部の内周面には、前記一方の面部において、前記便鉢部の上端内縁部から前記汚物受け面の外周端部までオーバーハング面が形成されることなく連続する連続面が設けられる請求項１から３のいずれかに記載の水洗大便器。
【請求項５】
前記吐水部は、前記便鉢部の側面部に形成される開口部を通して前記便鉢部内に洗浄水を吐き出す請求項１から４のいずれかに記載の水洗大便器。
【請求項６】
前記リム部の内周面には、前記便鉢部の上端内縁部から前記汚物受け面の外周端部までオーバーハング面が形成されることなく連続する連続面が設けられ、
前記リム部の内周面には、前記開口部以外の箇所にて、前記便鉢部の全周に亘る範囲で前記連続面が設けられる請求項５に記載の水洗大便器。
【請求項７】
前記洗浄水を前記旋回流の旋回方向に導く導水路を備え、
前記導水路は、前記導水路の下側内隅部を構成する曲面部を有し、
前記曲面部は、前記旋回方向に向かうにつれて曲率半径が連続的に増加する増加区間を有し、
前記上方誘導部は、前記増加区間が構成する請求項１から６のいずれかに記載の水洗大便器。
【請求項８】
前記曲面部は、前記増加区間より前記旋回方向に設けられ、前記旋回方向に向かうにつれて曲率半径が連続的に減少する減少区間を有する請求項７に記載の水洗大便器。
【請求項９】
前記上方誘導部により上方に誘導される洗浄水に上方から接触するオーバーハング面を備える請求項１から８のいずれかに記載の水洗大便器。
【請求項１０】
鉢状の汚物受け面を有する便鉢部と、
前記便鉢部の上端側部分を形成するリム部と、
前記便鉢部内に洗浄水を吐き出すことによって旋回流を形成する吐水部と、を備える水洗大便器であって、
前記便鉢部の前面部及び後面部のうちの一方の面部には、前記便鉢部の前後方向の一端部が設けられ、
本水洗大便器は、前記吐水部から前記一端部に至る洗浄水経路上にて洗浄水の少なくとも一部を上方に誘導することで、前記洗浄水経路上にて上向きに流れてから下向きに流れる誘導流を形成するように構成される水洗大便器。
【発明の詳細な説明】
【技術分野】
【０００１】
本発明は、水洗大便器に関する。
【背景技術】
【０００２】
特許文献１には、便鉢部と、便鉢部の上端側部分を形成するリム部と、便鉢部内に洗浄水を吐き出すことによって旋回流を形成する吐水部と、を備えた水洗大便器が記載されている。
【先行技術文献】
【特許文献】
【０００３】
【特許文献１】特開２０１５−１６９００４号公報
【発明の概要】
【発明が解決しようとする課題】
【０００４】
リム部の内周面は、通常、便鉢部の前面部や後面部において、便鉢部の側面部と比べて平面視での曲率半径が小さいため、それらを伝う洗浄水には大きい遠心力が付与される。このため、便鉢部の前面部や後面部では、この遠心力により上昇しようとする洗浄水が便鉢部外に飛び出し易くなる。この対策として、通常、リム部の内周面に形成したオーバーハング面により、その洗浄水の動きを規制する手法が採られている（特許文献１参照）。本発明者は、この対策を図るうえで、新たな手法があるとの認識を得た。
【０００５】
本発明のある態様は、このような課題に鑑みてなされ、その目的の１つは、洗浄水の便鉢部外への飛び出しを抑制できる技術を提供することにある。
【課題を解決するための手段】
【０００６】
前述の課題を解決するための本発明の第１態様は水洗大便器である。第１態様の水洗大便器は、鉢状の汚物受け面を有する便鉢部と、前記便鉢部の上端側部分を形成するリム部と、前記便鉢部内に洗浄水を吐き出すことによって旋回流を形成する吐水部と、を備え、前記便鉢部の前面部及び後面部のうちの一方の面部には、前記便鉢部の前後方向の一端部が設けられ、前記吐水部から前記一端部に至る洗浄水経路上に設けられ、前記洗浄水の少なくとも一部を上方に誘導する上方誘導部を備える。
【０００７】
第１態様によれば、洗浄水経路上において、上方誘導部により上方に誘導してから自重により下方に向かう誘導流を形成できる。このため、このような誘導流が形成されない場合と比べ、便鉢部の一方の面部を伝う水流の上向きの速度成分を低減でき、その一方の面部からの洗浄水の飛び出しを抑制できる。
【０００８】
前述の課題を解決するための本発明の他の態様は水洗大便器である。他の態様の水洗大便器は、鉢状の汚物受け面を有する便鉢部と、前記便鉢部の上端側部分を形成するリム部と、前記便鉢部内に洗浄水を吐き出すことによって旋回流を形成する吐水部と、を備える水洗大便器であって、前記便鉢部の前面部及び後面部のうちの一方の面部には、前記便鉢部の前後方向の一端部が設けられ、本水洗大便器は、前記吐水部から前記一端部に至る洗浄水経路上にて洗浄水の少なくとも一部を上方に誘導することで、前記洗浄水経路上にて上向きに流れてから下向きに流れる誘導流を形成するように構成される。
【０００９】
この態様によれば、洗浄水経路上に誘導流が形成されない場合と比べ、便鉢部の一方の面部を伝う水流の上向きの速度成分を低減でき、その一方の面部からの洗浄水の飛び出しを抑制できる。
【図面の簡単な説明】
【００１０】
【図１】第１実施形態の便器装置を機能ブロックと併せて示す説明図である。
【図２】図１のＡ−Ａ断面図である。
【図３】図１のＢ−Ｂ断面図である。
【図４】第１実施形態の水洗大便器の平面図である。
【図５】図５（ａ）は、図６のＣ−Ｃ断面図であり、図５（ｂ）は、図６のＤ−Ｄ断面図である。
【図６】図２の一部の拡大図である。
【図７】図７（ａ）〜図７（ｃ）のそれぞれは、図６のＩ−Ｉ、ＩＩ−ＩＩ、ＩＩＩ−ＩＩＩの断面図である。
【図８】図８（ａ）、図８（ｂ）のそれぞれは、図６のＩＶ−ＩＶ、Ｖ−Ｖの断面図である。
【図９】第１実施形態の水洗大便器内での洗浄水の流れ方を示す図である。
【図１０】第１実施形態の水洗大便器を左上側の後方から見た図である。
【図１１】第１実施形態の水洗大便器の一部を左側から見た断面図である。
【図１２】図１のＥ−Ｅ断面図である。
【図１３】図１のＦ−Ｆ断面図である。
【図１４】洗浄水に作用する遠心力の説明図である。
【図１５】第２実施形態の水洗大便器の一部を示す側面断面図である。
【発明を実施するための形態】
【００１１】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。
【００１２】
（第１の実施の形態）
第１実施形態の水洗大便器１０（以下、単に大便器１０という）を用いた便器装置１２の概要を説明する。図１は、便器装置１２を機能ブロックと併せて示す説明図である。図１は、大便器１０の平面図でもある。図２は、図１のＡ−Ａ断面図であり、図３は、図１のＢ−Ｂ断面図である。
【００１３】
以下、大便器１０の前後方向Ｘ、左右方向Ｙ及び上下方向Ｚを用いて説明する。これら方向軸は直交座標系を構成し、大便器１０に取り付けられる便座（不図示）に通常の姿勢で座る着座者の向きに対応する。前後方向Ｘ、左右方向Ｙは水平方向、上下方向Ｚは鉛直方向である。
【００１４】
便器装置１２は、大便器１０の他に、大便器１０に洗浄水を供給する洗浄水供給装置１４を備える。洗浄水供給装置１４は、たとえば、貯水タンクを用いて構成されるが、フラッシュバルブ等を用いて構成されてもよい。
【００１５】
本実施形態の大便器１０は洋風大便器である。本実施形態の大便器１０は陶器を素材とするが、樹脂等を素材としてもよい。大便器１０は、便鉢部１６と、便鉢部１６の底部に接続される便器排水路１８と、を備える。大便器１０の上面部には、局部洗浄装置等の機械装置（不図示）の一部が収まる凹部２０が形成される。便器排水路１８は、便鉢部１６内から下水側水路に排出される汚物や水の通り道となる。
【００１６】
便鉢部１６は、汚物を受けるための鉢状の汚物受け面２４と、便鉢部１６の上端側部分を形成するリム部２６とを有する。リム部２６の内周面は、便鉢部１６の上端内縁部１６ａから汚物受け面２４の外周端部２４ａまでの範囲に設けられる。以下、便鉢部１６の周方向、径方向を用いて説明する。「周方向」は、平面視において、便鉢部１６の上端内縁部１６ａの中心Ｃｐ周りを回る方向をいい、「径方向」は、その中心Ｃｐを通る鉛直線に直交する方向をいう。
【００１７】
便鉢部１６は、汚物受け面２４の下端縁部２４ｂから下方に窪む溜水部２８を有する。溜水部２８は、便鉢部１６の底部を形成するとともに有底状をなす。溜水部２８の底部には便器排水路１８の入口１８ａが開口する。溜水部２８には封水の一部となる溜水（不図示）が溜められる。
【００１８】
図４は、大便器１０の他の平面図である。リム部２６の内周面は、平面視において、前端を含む前側領域３０Ｆと、後端を含む後側領域３０Ｂと、前側領域３０Ｆと後側領域３０Ｂを繋ぐ左右の中間領域３０Ｓとを有する。前側領域３０Ｆは、平面視において、第１範囲Ｒ１内の曲率半径の曲面状をなし、後側領域３０Ｂは、第２範囲Ｒ２内の曲率半径の曲面状をなす。中間領域３０Ｓは、第１範囲Ｒ１や第２範囲Ｒ２の曲率半径より大きい第３範囲Ｒ３内の曲率半径の曲面状をなす。たとえば、第１範囲Ｒ１は７０ｍｍ〜１２０ｍｍ、第２範囲Ｒ２は１００ｍｍ〜１３０ｍｍ、第３範囲Ｒ３は２００ｍｍ〜５３０ｍｍである。このようにリム部２６の内周面は、平面視において、前側領域３０Ｆと後側領域３０Ｂでの曲率半径が中間領域３０Ｓでの曲率半径より小さいオーバル状をなす。なお、第１範囲Ｒ１と第２範囲Ｒ２は、第３範囲Ｒ３より小さい曲率半径であればよく、それらの間での大小関係は問わない。
【００１９】
以下、便鉢部１６を四つに区分して説明する。詳しくは、便鉢部１６の左右両側に設けられる一対の側面部２２Ｒ、２２Ｌと、便鉢部１６の前側に設けられる前面部２２Ｆと、便鉢部１６の後側に設けられる後面部２２Ｂとに便鉢部１６を区分する。一対の側面部２２Ｒ、２２Ｌには、左右一方側となる右側の右側面部２２Ｒと、左右他方側となる左側の左側面部２２Ｌとが含まれる。
【００２０】
これらは、次の等分線Ｌｂ１〜Ｌｂ３と左右中心線Ｌｃにより区分される。等分線Ｌｂ１〜Ｌｂ３には、平面視にて、便鉢部１６の内面部分の最大前後寸法Ｌａを四等分する三つの等分線Ｌｂ１〜Ｌｂ３のうち、最も前側の前側等分線Ｌｂ１と、最も後側の後側等分線Ｌｂ３が含まれる。左右中心線Ｌｃは、平面視にて、便鉢部１６の内面部分の最大左右寸法を二等分する等分線をいう。等分線Ｌｂ１〜Ｌｂ３は左右方向Ｙに沿って延び、左右中心線Ｌｃは前後方向Ｘに沿って延びる。
【００２１】
一対の側面部２２Ｒ、２２Ｌは、前側等分線Ｌｂ１と後側等分線Ｌｂ３の間にあり、前面部２２Ｆは、前側等分線Ｌｂ１より前側にあり、後面部２２Ｂは、後側等分線Ｌｂ３より後側にある。右側面部２２Ｒは、左右中心線Ｌｃより右側にあり、左側面部２２Ｌは、左右中心線Ｌｃより左側にある。
【００２２】
図１〜図３を参照する。リム部２６の内周面には開口部３２が形成される。本実施形態の開口部３２は便鉢部１６の左右一方側の側面部（右側面部２２Ｒ）のみに形成され、左右他方側の側面部（左側面部２２Ｌ）や、前面部２２Ｆ及び後面部２２Ｂには形成されない。
【００２３】
リム部２６の内周面には、便鉢部１６の前面部２２Ｆ及び後面部２２Ｂのうちの一方の面部２２Ｘにおいて、便鉢部１６の上端内縁部１６ａから汚物受け面２４の外周端部２４ａまでオーバーハング面が形成されることなく連続する連続面４０が設けられる。本明細書でのオーバーハング面とは、鉛直面に対する傾斜角度が６０°以上となる下向きの面であって、吐水口４４（後述する）とは異なる箇所に形成される面をいう。ここでの「一方の面部２２Ｘ」とは、本実施形態では便鉢部１６の前面部２２Ｆをいう。この一方の面部２２Ｘには、便鉢部１６の前後方向Ｘの一端部１６ｂとなる便鉢部１６の前端部が設けられる。
【００２４】
本実施形態の連続面４０は、開口部３２以外の箇所にて、便鉢部１６の全周に亘る範囲でリム部２６の内周面に設けられる。詳しくは、連続面４０は、便鉢部１６の前面部２２Ｆ、後面部２２Ｂ及び左側面部２２Ｌの全部の周方向範囲に設けられる。連続面４０は、開口部３２以外の箇所にて、便鉢部１６の右側面部２２Ｒの全部の周方向範囲に設けられる。
【００２５】
本実施形態の連続面４０は、便鉢部１６の上端内縁部１６ａから下方に向かうにつれて、徐々に径方向内側に延びるように設けられる。これにより、下方に向かう途中で径方向外側に延びる箇所が設けられる場合と比べ、連続面４０に付いた汚れを目視により把握し易くなり、清掃作業の容易化を図れる。同様の観点から、連続面４０は、便鉢部１６の上端内縁部１６ａから実質的に鉛直下方に向かって延びるように設けられてもよい。この他にも、連続面４０は、下方に向かうにつれて径方向内側に延びる部位と、実質的に鉛直下方に向かって延びる部位との組み合わせでもよい。本明細書での「実質的」とは、言及している条件を厳密に満たす場合に限らず、寸法公差や製造誤差等の誤差の分だけ位置がずれる場合も含まれる。
【００２６】
大便器１０は、便鉢部１６内に洗浄水を吐き出すことによって旋回流Ｆａ（後述の図９参照）を形成する吐水部４２を備える。吐水部４２は、便鉢部１６の開口部３２を通して便鉢部１６内に洗浄水を吐き出す。本実施形態の吐水部４２は開口部３２の奥側に設けられ、平面視にて外部に露出しない位置に設けられる。旋回流Ｆａは、便鉢部１６の一方の面部２２Ｘ（前面部２２Ｆ）に設けられる便鉢部１６の前後方向Ｘの一端部１６ｂを経由してから、便鉢部１６の前面部２２Ｆ及び後面部２２Ｂのうち他方の面部に設けられる便鉢部１６の他端部１６ｃを経由する。本実施形態での他端部１６ｃは便鉢部１６の後端部である。
【００２７】
大便器１０は、図２に示すように、便器排水路１８の下流側に向けて洗浄水を吐き出すジェット吐水口４１を備える。本実施形態のジェット吐水口４１は大便器１０に取り付けられるジェットノズル４３の先端部に形成される。
【００２８】
図５は、図１の一部を示す平面断面図である。図５（ａ）は、後述の図６のＣ−Ｃ断面図、図５（ｂ）は、図６のＤ−Ｄ断面図である。吐水部４２は、リム部２６の内周面に開口する吐水口４４と、洗浄水供給装置１４から供給された洗浄水を吐水口４４に導く通水路４６とを有する。本実施形態の吐水口４４は、前方に向けて開放しており、便鉢部１６内に旋回流Ｆａの旋回方向Ｄｔとなる周方向の一方側（図５の紙面で反時計回り方向）に向けて洗浄水を吐き出す。
【００２９】
図６は、図２の一部の拡大図である。図７（ａ）〜図７（ｃ）のそれぞれは、図６のＩ−Ｉ、ＩＩ−ＩＩ、ＩＩＩ−ＩＩＩの断面図である。図８（ａ）、図８（ｂ）のそれぞれは、図６のＩＶ−ＩＶ、Ｖ−Ｖの断面図である。
【００３０】
図５〜図８に示すように、大便器１０は、吐水部４２が吐き出す洗浄水を旋回方向Ｄｔに導く導水路４８を備える。導水路４８は、洗浄水を受ける棚面５０とリム部２６の内周面とが構成する。棚面５０は、汚物受け面２４の外周側部分に設けられる。本実施形態の棚面５０は、棚面５０の内周端部を構成する凸曲面部５２と、その凸曲面部５２より外周側に設けられる平坦面部５４と、棚面５０の外周端部を構成する曲面部５８とを有する。棚面５０は、その凸曲面部５２を介して棚面５０より下方に位置する汚物受け面２４の凹曲面部５６に連なる。平坦面部５４の鉛直断面は、その凹曲面部５６の上端部より緩やかな勾配となるように形成される。
【００３１】
本実施形態の棚面５０は、図１に示すように、便鉢部１６の後面部２２Ｂから一対の側面部２２Ｒ、２２Ｌのそれぞれを介して前面部２２Ｆまでの範囲で連続するように形成される。本実施形態の棚面５０は、一対の側面部２２Ｒ、２２Ｌや後面部２２Ｂにて周方向の全範囲に亘り形成され、前面部２２Ｆにて周方向の一部の範囲で形成される。
【００３２】
図５〜図８に示すように、本実施形態の導水路４８の一部は、平面視において、吐水口４４から旋回流Ｆａの旋回方向Ｄｔに延びるとともに、開口部３２を通り抜けるように形成される。本実施形態の棚面５０は、吐水口４４の底面に滑らかに連なるように形成される。
【００３３】
曲面部５８は、導水路４８の下側内隅部を構成するとともに凹曲面状をなす。曲面部５８は、旋回流Ｆａの旋回方向Ｄｔに向かって順に、第１定区間６０、増加区間６２、第２定区間６４、減少区間６６、第３定区間６８を有する。曲面部５８は、第１定区間６０から第３定区間６８までの範囲で鉛直断面での曲率半径が滑らかに変化するように設けられる。これは、この範囲で曲率半径が急激に変化して段差部が形成されないことを意味する。
【００３４】
第１定区間６０は、吐水口４４に連なり、旋回流Ｆａの旋回方向Ｄｔに向かって、第１曲率半径Ｒａで実質的に一定の曲率半径に形成される。
【００３５】
増加区間６２は、第１定区間６０に連なり、旋回流Ｆａの旋回方向Ｄｔに向かって、第１曲率半径Ｒａから第２曲率半径Ｒｂに曲率半径が連続的に増加するように形成される。
【００３６】
第２定区間６４は、増加区間６２と減少区間６６を連ね、旋回流Ｆａの旋回方向Ｄｔに向かって、第２曲率半径Ｒｂで実質的に一定の曲率半径に形成される。
【００３７】
減少区間６６は、第３定区間６８に連なり、旋回流Ｆａの旋回方向Ｄｔに向かって、第２曲率半径Ｒｂから第３曲率半径Ｒｃに曲率半径が連続的に減少するように形成される。
【００３８】
第３定区間６８は、旋回流Ｆａの旋回方向Ｄｔに向かって、第３曲率変形Ｒｃで実質的に一定の曲率半径に形成される。第３曲率半径Ｒｃは、第３定区間６８と左右対称の位置に設けられる曲面部５８の一部５８ａ（図１参照）と実質的に同じ曲率半径に設定される。
【００３９】
図５に示すように、増加区間６２は、吐水部４２から便鉢部１６の前後方向Ｘの一端部１６ｂ（前端部）に至る洗浄水経路７０（図１参照）上に設けられる上方誘導部７２を構成する。ここでの洗浄水経路７０とは、吐水部４２から吐き出された洗浄水が便鉢部１６内を伝う経路をいう。この上方誘導部７２は、詳細を後述するように、吐水部４２が吐き出す洗浄水の少なくとも一部を上方に誘導する。
【００４０】
増加区間６２は、便鉢部１６の側面部２２Ｒに設けられる内方誘導部７４を構成する。この内方誘導部７４は、詳細を後述するように、自らと衝突した洗浄水の一部を径方向内側に誘導する。
【００４１】
本実施形態の増加区間６２の少なくとも一部は、平面視において、開口部３２の奥側かつ吐水口４４の外側にて、吐水口４４から延びる吐水口４４の中心線Ｌｄと交わる位置に設けられる。本実施形態の増加区間６２は、便鉢部１６の一対の側面部２２Ｒ、２２Ｌのうち、便鉢部１６の一方の面部２２Ｘ（前面部２２Ｆ）に対して旋回方向Ｄｔとは周方向の反対側（時計回り方向）に隣り合う便鉢部１６の側面部２２Ｒに設けられる。増加区間６２は、吐水部４２の吐水口４４より下流側にて吐水口４４の近傍に設けられる。ここでの「近傍」とは、吐水口４４から２０ｍｍ以内の範囲をいう。ここで説明した条件は、前述の上方誘導部７２や内方誘導部７４も同様に満たす。
【００４２】
以上の便器装置１２による洗浄方法を説明する。本実施形態の便器装置１２は、水の落差を用いて汚物を押し流す洗い落とし式の洗浄方式によって汚物を排出する。洗浄水供給装置１４は、所定の洗浄開始条件を満たすと、所定の水量の洗浄水を吐水部４２に供給する。洗浄開始条件は、たとえば、レバー等の操作部材、または、リモートコントローラ、スマートフォン等の電気機器によって洗浄水供給装置１４が洗浄開始操作を受けることである。
【００４３】
図９は、洗浄水の流れ方を示す図である。本図では、洗浄水の流れ方向に矢印を付して示す。吐水部４２は、洗浄水供給装置１４から供給された洗浄水を便鉢部１６内に吐き出す。吐水部４２から吐き出された洗浄水は、便鉢部１６内を旋回する旋回流Ｆａを形成する。旋回流Ｆａは、便鉢部１６の前面部２２Ｆ、左側面部２２Ｌ及び後面部２２Ｂを経由して右側面部２２Ｒを前方に向かうように形成される。旋回流Ｆａは、便鉢部１６の側面部２２Ｒ、２２Ｌや後面部２２Ｂを経由するときに、棚面５０を伝うように形成される。旋回流Ｆａは主流として形成される。本明細書での「主流」とは、洗浄水の一部が部分的に集まった状態で流れるすじ状の流れをいう。旋回流Ｆａを形成する洗浄水の一部は便鉢部１６内を旋回する途中に徐々に分流Ｆｂに分かれ、その分流Ｆｂは便鉢部１６の底側に向けて流れ落ちる。
【００４４】
便鉢部１６の底部側に向かう水流Ｆｂ、Ｆｇ（水流Ｆｇは後述する）は、便器排水路１８の入口１８ａに汚物を押し込むような流れとなる。このような水流Ｆｂ、Ｆｇによって、便鉢部１６内の汚物が便器排水路１８を通して排出される。
【００４５】
図２を参照する。ジェット吐水口４１は、洗浄水供給装置１４から供給された洗浄水を便器排水路１３内で下流側に向けて吐き出す。本実施形態のジェット吐水口４１は、便器排水路１８内で洗浄水が下流側に向けて流れている途中に洗浄水を吐き出す。ジェット吐水口４１から吐き出された洗浄水は、便器排水路１８内を下流側に向かう流れの水勢を増幅させる。
【００４６】
図１０、図１１は、洗浄水の流れ方を模式的に示す図である。図１０は、大便器１０を左上側の後方から見た図であり、図１１は、大便器１０の一部を左側から見た断面図である。図１０では、説明の便宜のため、図１の左右中心線Ｌｃが通る箇所に線Ｌｃ’を付す。また、図１０では、リム部２６の内周面を伝う過程で洗浄水が届く領域の上辺に線Ｌｅを付す。
【００４７】
吐水部４２から吐き出された洗浄水の少なくとも一部は、上方誘導部７２（導水路４８の増加区間６２）との衝突により上方に誘導されて第１誘導流Ｆｃを形成する。このように上方誘導部７２（導水路４８の増加区間６２）は、遠心力を用いることなく、洗浄水の少なくとも一部を上方に誘導する。第１誘導流Ｆｃは、前述の旋回流Ｆａの一部として形成される。本実施形態の第１誘導流Ｆｃは、増加区間６２により誘導されることで、汚物受け面２４から離れるように跳ね上げられる。第１誘導流Ｆｃは、前述の洗浄水経路７０上において、リム部２６の内周面を旋回方向Ｄｔに伝いつつ、上向きに流れてから自重により下向きに流れるように形成される。本実施形態の第１誘導流Ｆｃは、前述の洗浄水経路７０で開口部３２の外側にて最高点Ｐｈに達するように形成される。
【００４８】
吐水部４２から吐き出された洗浄水の一部は、内方誘導部７４（導水路４８の増加区間６２）と衝突して拡散することによって、便鉢部１６の径方向内側に誘導されて第２誘導流Ｆｄを形成する。第２誘導流Ｆｄは、棚面５０から凹曲面部５６に流れ落ちるように形成される。第２誘導流Ｆｄは、便鉢部１６内に形成される旋回流Ｆａと合流する。これらの合流箇所Ｓａ（図９も参照）は、平面視にて、リム部２６の内周面より径方向内側、つまり、オーバーハング面がない箇所となる。
【００４９】
吐水部４２から吐き出された洗浄水の一部は、導水路４８の増加区間６２（上方誘導部７２及び内方誘導部７４）により上方や径方向内側に誘導されることなく直進する直進流Ｆｅを形成する。直進流Ｆｅは、前述の旋回流Ｆａの一部として形成される。本実施形態では、吐水部４２から吐き出された洗浄水の一部が第１誘導流Ｆｃを形成し、洗浄水の更に一部が第２誘導流Ｆｄを形成し、洗浄水の残部が直進流Ｆｅを形成する。直進流Ｆｅは、前述の洗浄水経路７０上にてリム部２６の内周面を旋回方向Ｄｔに伝わる。
【００５０】
第１誘導流Ｆｃや直進流Ｆｅは、前述の洗浄水経路７０上にて便鉢部１６の一端部１６ｂ（前端部）に向けて流れる。この経路を流れる過程で、直進流Ｆｅは、遠心力を受けて上向きの速度成分が付与されることで上向きに流れようとする。第１誘導流Ｆｃは、下向きに流れる過程で、この上向きに流れようとする他の水流（直進流Ｆｅ）と合流することで、その上向きの流れを妨げようとする。第１誘導流Ｆｃは、直進流Ｆｅと合流することで、直進流Ｆｅの上向きの速度成分の少なくとも一部を相殺することになる。これらの合流箇所の少なくとも一部は前述の洗浄水経路７０上となる。第１誘導流Ｆｅは、他の水流（直進流Ｆｅ）と合流しつつ、その合流した他の水流とともに一方の面部２２Ｘ（前面部２２Ｆ）を伝う過程で遠心力により上向きに流れる。この後、第１誘導流Ｆｅは、便鉢部１６の前後方向Ｘの一端部１６ｂより旋回方向Ｄｔにて、その合流した他の水流とともに下向きに流れて棚面５０により受けられ、その棚面５０上を旋回方向Ｄｔに伝わる。
【００５１】
第１誘導流Ｆｃや直進流Ｆｅを形成する洗浄水は、前述の旋回流Ｆａの一部として便鉢部１６内を旋回したうえで、便鉢部１６の右側面部２２Ｒを前方に向かうように流れる。前述の第２誘導流Ｆｄは、このように便鉢部１６の右側面部２２Ｒを前方に向かう旋回流Ｆａと合流する。このように、第２誘導流Ｆｄと合流する旋回流Ｆａは、内方誘導部７４により径方向内側に誘導されることなく流れた洗浄水の一部が形成する。旋回流Ｆａと合流した第２誘導流Ｆｄは、便鉢部１６の前面部２２Ｆ及び後面部２２Ｂのうち、便鉢部１６の一方の面部２２Ｘ（前面部２２Ｆ）にて、汚物受け面２４の棚面５０より下方で凹曲面部５６の一部５６ａを経由しつつ、便鉢部１６の溜水部２８に向けて流れ落ちる水流Ｆｇを形成する（図９も参照）。
【００５２】
本実施形態の大便器１０は、以上の洗浄水の流れが形成されるように構成される。このように構成するうえで、大便器１０の便鉢部１６の形状、吐水部４２から吐き出される洗浄水の流量、洗浄水を吐き出す方向等が定められる。洗浄水の流量は、たとえば、吐水部４２の吐水口４４や通水路４６の断面形状に応じて定められる。ここでの「便鉢部１６の形状」には、本実施形態では、前述の導水路４８の増加区間６２（上方誘導部７２及び内方誘導部７４）が含まれる。
【００５３】
以上の大便器１０の効果を説明する。大便器１０は、洗浄水を上方に誘導する上方誘導部７２を備える。よって、前述の洗浄水経路７０上において、上方誘導部７２により上方に誘導してから自重により下方に向かう第１誘導流Ｆｃを形成できる。このため、このような第１誘導流Ｆｃが形成されない場合と比べ、便鉢部１６の一方の面部２２Ｘ（前面部２２Ｆ）を伝う水流の上向きの速度成分を低減できる。これに伴い、その一方の面部２２Ｘ（前面部２２Ｆ）からの洗浄水の飛び出しを抑制できる。
【００５４】
第１誘導流Ｆｃは、下向きに流れる過程で他の水流（直進流Ｆｅ）と合流しつつ、その他の水流とともに一方の面部２２Ｘ（前面部Ｆ）を伝う過程で遠心力により上向きに流れる。よって、第１誘導流Ｆｃが他の水流と合流しつつ上向きに流れない場合より、一方の面部２２Ｘでの洗浄範囲を上下方向に広範囲化できる。
【００５５】
内方誘導部７４により誘導された洗浄水は、平面視にてリム部２６の内周面より径方向内側において、便鉢部１６内に形成される旋回流Ｆａと合流する。よって、内方誘導部７４により誘導された洗浄水と旋回流Ｆａが合流して水勢を増幅することで、便鉢部１６の洗浄能力を増大できる。
【００５６】
内方誘導部７４は、洗浄水の一部を径方向内側に誘導するため、その洗浄水の全てを誘導する場合と比べ、旋回流Ｆａと合流する洗浄水（第２誘導流Ｆｄ）の流量を低減でき、その旋回流Ｆａとの合流により生じる飛沫を抑制できる。よって、オーバーハング面が形成されない箇所にて、内方誘導部７４により誘導された洗浄水と旋回流Ｆａが合流したとしても、その飛沫の便鉢部１６外への飛び出しを抑制できる。
【００５７】
内方誘導部７４により形成される第２誘導流Ｆｄと合流する旋回流Ｆａは、吐水部４２が吐き出した洗浄水の一部が形成する。よって、この旋回流Ｆａを形成するために他の吐水部４２を設けずともよくなる。これに伴い、大便器１０に要する吐水部４２の数を抑えられ、その分、良好な意匠性を得られる。
【００５８】
内方誘導部７４は、吐水部４２の吐水口４４より下流側にて吐水口４４の近傍に設けられる。よって、吐水口４４より下流側にて吐水口４４から遠い箇所に内方誘導部７４を設ける場合と比べ、第２誘導流Ｆｄと旋回流Ｆａの合流箇所を吐水口４４に近づけられ、その分、第２誘導流Ｆｄと合流するまでの間の旋回流Ｆａの便鉢部１６内での旋回距離を短くできる。かりに、便鉢部１６内に供給される洗浄水の流量が少ない場合、第２誘導流Ｆｄと旋回流Ｆａの合流箇所が吐水口４４から旋回流Ｆａの旋回方向Ｄｔに遠ざかるほど、旋回流Ｆａの水勢が弱くなり、洗浄水により十分に洗浄できない領域が生じ易くなる。この点、本実施形態によれば、洗浄水の流量が少ない場合でも、便鉢部１６内の広い範囲を洗浄できる。
【００５９】
（Ａ）吐水部４２は、便鉢部１６の側面部２２Ｒに形成される開口部３２を通して便鉢部１６内に洗浄水を吐き出す。よって、便鉢部１６の後面部２２Ｂに開口部３２を形成する場合と比べ、大便器１０を正面側から見たときに、その開口部３２を視認し難くなり、良好な意匠性を得られる。また、便鉢部１６の後面部２２Ｂに開口部３２を形成する場合と比べ、大便器１０の正面側から開口部３２に手が届きやすくなり、良好な清掃性を得られる。
【００６０】
洗浄水の飛び出しを抑制するため、便鉢部１６の前面部２２Ｆや後面部２２Ｂに開口部３２を形成する手段も考えられる。これにより、吐水部４２から一方の面部２２Ａまでの旋回流Ｆａの旋回距離を長くでき、その旋回流Ｆａの水勢を弱めることで、その洗浄水の飛び出しを抑制できる。本実施形態によれば、このような手段を採ることなく、洗浄水の飛び出しを抑制できる。
【００６１】
リム部２６の内周面には、一方の面部２２Ｘ（前面部２２Ｆ）において、オーバーハング面のない連続面４０が設けられる。よって、一方の面部２２Ｘにオーバーハング面がなくとも、その連続面４０を伝う洗浄水の飛び出しを抑制できる。
【００６２】
リム部２６の内周面には、開口部３２以外の箇所にて、便鉢部１６の全周に亘る範囲で連続面４０が設けられる。よって、便鉢部１６の周方向の広い範囲にて、拭き掃除で手の届き難いオーバーハング面が設けられないため、リム部２６の内周面を拭き易くなる。
【００６３】
上方誘導部７２は、導水路４８の曲面部５８の増加区間６２が構成する。よって、導水路４８の底面（棚面５０）に広範囲で凹凸を形成することなく上方誘導部７２を構成でき、良好な意匠性を得られる。
【００６４】
内方誘導部７４は、導水路４８の曲面部５８の増加区間６２が構成する。よって、導水路４８の底面（棚面５０）に広範囲で凹凸を形成することなく内方誘導部７４を構成でき、良好な意匠性を得られる。
【００６５】
曲面部５８は、増加区間６２より旋回流Ｆａの旋回方向Ｄｔに設けられる減少区間６６を有する。よって、増加区間６２より旋回方向Ｄｔに設けられ、増加区間６２の最大曲率半径より曲率半径の小さい他の区間（第３定区間６８）と増加区間６２とを減少区間６６を介して滑らかに繋げられる。これに伴い、導水路４８の曲面部５８に増加区間６２がある場合に、増加区間６２と他の区間の間で目立つような段差面が形成されず、良好な意匠性を得られる。
【００６６】
曲面部５８は、増加区間６２と減少区間６６を連ねる第２定区間６４を有する。よって、増加区間６２と減少区間６６により目立つような凸部が形成されず、良好な意匠性を得られる。
【００６７】
次に、他の特徴を説明する。図４を参照する。リム部２６の内周面には、前側領域３０Ｆと中間領域３０Ｓの境界となる第１曲率変化点３０ａと、後側領域３０Ｂと中間領域３０Ｓの境界となる第２曲率変化点３０ｂとが設けられる。
【００６８】
図１０を参照する。第１誘導流Ｆｃの最高点Ｐｈは、リム部２６の前側領域３０Ｆと後側領域Ｂのうち、便鉢部１６の一方の面部２２Ｘ（前面部２２Ｆ）に設けられる領域（前側領域３０Ｆ）と、中間領域３０Ｓの境界にある曲率変化点３０ａの近傍に設けられると好ましい。詳しくは、第１誘導流Ｆｃの最高点Ｐｈは、平面視において、曲率変化点３０ａから前後方向Ｘで上流側（本例では前後方向Ｘの後側）に３０ｍｍ、前後方向Ｘで下流側（本例では前後方向Ｘの前側）に１５ｍｍの範囲内にあるとより好ましい。これは、本発明者の実験的な知見に基づき設定している。これにより、曲率半径の小さい領域３０Ｆを伝うことで大きい遠心力を受け始める前に第１誘導流Ｆｃを下向きに流し易くなる。これに伴い、強い下向きの勢いを持って直進流Ｆｅと合流させ易くなり、その直進流Ｆｅや第１誘導流Ｆｃを形成する洗浄水が便鉢部１６の一方の面部２２Ｘ（前面部２２Ｆ）を流れるとき、洗浄水の飛び出しの抑制を効果的に図れる。
【００６９】
図６〜図８に示すように、便鉢部１６には、開口部３２の奥側かつ吐水口４４の外側にオーバーハング面７６が設けられる。オーバーハング面７６は、開口部３２の上縁部を形成する。オーバーハング面７６は、リム部２６の内周面にて、その上側に向かう途中で径方向内側に延びるように設けられる。オーバーハング面７６は、前述の洗浄水経路７０上において、吐水部４２から旋回方向Ｄｔに向かう一部の範囲に設けられる。本実施形態の便鉢部１６には開口部３２の奥側にのみオーバーハング面７６が設けられ、その外側ではオーバーハング面７６が設けられない。
【００７０】
オーバーハング面７６は、吐水部４２から旋回方向Ｄｔに向かうにつれて連続的に上向きに延びるように水平面に対して傾斜している。オーバーハング面７６は、吐水部４２から旋回方向Ｄｔに向かうにつれて径寸法が小さくなるように形成される。オーバーハング面７６は、上方誘導部７２により形成される前述の第１誘導流Ｆｃに上方から接触する位置に設けられる。
【００７１】
これにより、洗浄水供給装置１４からの洗浄水供給量が急激に増大してしまい、上方誘導部７２により洗浄水が大きく上昇しようとした場合でも、オーバーハング面７６により洗浄水の上昇を規制できる。これに伴い、洗浄水が便鉢部１６の外部に飛び出す事態を避けられる。また、上方誘導部７２により上方に誘導された洗浄水によりオーバーハング面７６を洗浄できる利点もある。
【００７２】
本実施形態のリム部２６の内周面には、開口部３２を形成するとともに開口部３２より上方に設けられる上方面部７８が設けられる。上方面部７８は、オーバーハング面が形成されることなく、便鉢部１６の上端内縁部１６ａから開口部３２の上縁部まで連続している。上方面部７８は、上方面部７８と周方向両側に隣接するリム部２６の内周面の一部分２６ａと滑らかに連なっている。ここでの滑らかに連なるとは、言及している二つの対象の間で凹凸が形成されることなく連なることをいう。
【００７３】
図５を参照する。吐水部４２の底面４２ａには、吐水口４４より奥側から吐水口４４にかけての範囲において、吐水口４４に向かうにつれて下り傾斜となる勾配が設けられる。これにより、吐水部４２の内部に残水が貯まり難くなり、良好な衛生性を得られる。
【００７４】
（第２の工夫点）
図１２は、図１のＥ−Ｅ断面図であり、図１３は、図１のＦ−Ｆ断面図である。図２〜図４、図１２、図１３に示すように、リム部２６の内周面は、便鉢部１６の側面部２２Ｒ、２２Ｌに設けられる第１面領域９０と、便鉢部１６の前面部２２Ｆ及び後面部２２Ｂのうちの少なくとも一方に設けられる第２面領域９２、９４とを有する。第２面領域９２、４の鉛直面Ｐｖに対する傾斜角度θｂは、第１面領域９０より鉛直面Ｐｖに対する傾斜角度θａより緩やかである。ここでの鉛直面Ｐｖに対する傾斜角度とは、便鉢部１６の中心Ｃｐを通る鉛直断面での鉛直面Ｐｖに対する鋭角での傾斜角度をいう。以下、説明の便宜から、第１面領域９０を急斜面領域９０といい、第２面領域９２、９４を緩斜面領域９２、９４という。
【００７５】
緩斜面領域９２、９４には、便鉢部１６の前面部２２Ｆ及び後面部２２Ｂのうちの一方の面部２２Ｘとなる前面部２２Ｆに設けられる前側緩斜面領域９２（一方側緩斜面領域）と、それらのうちの他方の面部となる後面部２２Ｂに設けられる後側緩斜面領域９４（他方側緩斜面領域）とが含まれる。
【００７６】
急斜面領域９０は、便鉢部１６の前後方向Ｘでの中間部を含む周方向範囲に設けられる。前側緩斜面領域９２は、便鉢部１６の一端部１６ｂ（前端部）を含む周方向範囲に設けられ、後側緩斜面領域９４は、便鉢部１６の前後方向Ｘの他端部１６ｃ（後端部）を含む周方向範囲に設けられる。前側緩斜面領域９２は便鉢部１６の前面部２２Ｆの少なくとも大部分に設けられ、後側緩斜面領域９４は便鉢部１６の後面部２２Ｂの少なくとも大部分に設けられる。本実施形態の前側緩斜面領域９２は便鉢部１６の前面部２２Ｆの全域に設けられる。
【００７７】
急斜面領域９０と前側緩斜面領域９２の境界となる前側境界部９６は、側面視において、便鉢部１６の前面部２２Ｆと側面部２２Ｒ、２２Ｌの何れかにて、それらの境界寄りの端部に設けられる。本実施形態の前側境界部９６は、側面部２２Ｒ、２２Ｌの前面部２２Ｆ寄りの端部に設けられる。
【００７８】
急斜面領域９０と後側緩斜面領域９４の境界となる後側境界部９８は、側面視において、便鉢部１６の側面部２２Ｒ、２２Ｌと後面部２２Ｂの何れかにて、それらの境界寄りの端部に設けられる。本実施形態の後側境界部９８は、後面部２２Ｂの側面部２２Ｒ、２２Ｌ寄りの端部に設けられる。
【００７９】
急斜面領域９０には前述の開口部３２が形成される。詳しくは、便鉢部１６の右側面部２２Ｒに設けられる急斜面領域９０に開口部３２が形成され、その左側面部２２Ｌに設けられる急斜面領域９０には開口部３２が形成されない。また、緩斜面領域９２、９４には開口部３２は形成されない。
【００８０】
図１２に示すように、前側緩斜面領域９２は、便鉢部１６の一端部１６ｂ（前端部）に設けられる第１最傾斜部９２ａと、第１最傾斜部９２ａと前側境界部９６の間に設けられる第１角度変化部９２ｂとを有する。第１最傾斜部９２ａは、前側緩斜面領域９２のなかで傾斜角度が最も大きくなり、その周方向の全範囲で実質的に一定の傾斜角度となる。第１角度変化部９２ｂは、前側境界部９６から便鉢部１６の一端部１６ｂ（前端部）に近づくにつれて、第１最傾斜部９２ａの傾斜角度に近づくように連続的に傾斜角度が変化する。
【００８１】
図１３に示すように、後側緩斜面領域９４は、便鉢部１６の他端部１６ｃ（後端部）に設けられる第２最傾斜部９４ａと、第２最傾斜部９４ａと、後側境界部９８の間に設けられる第２角度変化部９４ｂとを有する。第２最傾斜部９４ａは、後側緩斜面領域９４のなかで傾斜角度が最も大きくなり、その周方向の全範囲で実質的に一定の傾斜角度となる。第２角度変化部９４ｂは、後側境界部９８から便鉢部１６の他端部１６ｃ（後端部）に近づくにつれて、第２最傾斜部９４ａの傾斜角度に近づくように連続的に傾斜角度が変化する。
【００８２】
急斜面領域９０及び緩斜面領域９２、９４には前述の連続面４０が設けられる。右側面部２２Ｒに設けられる急斜面領域９０には、開口部３２以外の箇所にて、その全部の周方向範囲に連続面４０が設けられる。左側面部２２Ｌに設けられる急斜面領域９０や、緩斜面領域９２、９４には、その全部の周方向範囲に連続面４０が設けられる。
【００８３】
本実施形態において、急斜面領域９０は前述の中間領域３０Ｓ、前側緩斜面領域９２は前側領域３０Ｆ、後側緩斜面領域９４は後側領域３０Ｒが構成する。急斜面領域９０は、平面視において、第３範囲Ｒ３内の曲率半径の曲面状をなし、緩斜面領域９２、９４は、第３範囲Ｒ３の曲率半径より小さい曲率半径の曲面状をなすことになる。
【００８４】
以上の工夫点による効果を説明する。図１４は、洗浄水Ｗに作用する遠心力Ｆａの説明図である。本図では、リム部２６の内周面の法線方向に沿った第１分力Ｆａ１と、その内周面の面内方向に沿った第２分力Ｆａ２とに分けて遠心力Ｆａを示す。
【００８５】
洗浄水にはリム部２６の内周面に沿って流れるときに遠心力Ｆａが作用する。この遠心力Ｆａの第２分力Ｆａ２の成分（＝Ｆａ×ｓｉｎθ）は、リム部２６の内周面の傾斜角度θが大きくなるほど増大する。これは、リム部２６の内周面の傾斜角度θが大きくなるほど、洗浄水が遠心力Ｆａを受けて広い上下範囲に届き易くなることを意味している。ここでの上下範囲とは、上下方向Ｚでの範囲をいう。
【００８６】
本実施形態の緩斜面領域９２、９４の傾斜角度θｂは、急斜面領域９０の傾斜角度θａより緩やかである。よって、急斜面領域９０と緩斜面領域９２、９４とで傾斜角度を同じにする場合と比べ、便鉢部１６の前面部２２Ｆ又は後面部２２Ｂに設けられた緩斜面領域９２、９４で遠心力を受けた洗浄水が広い上下範囲に届き易くなる。これに伴い、緩斜面領域９２、９４の連続面４０での洗浄範囲を上下方向に広範囲化できる。
【００８７】
このように上下方向での洗浄範囲を広くするために、この他にも、平面視でのリム部２６の内周面の曲率半径を小さくする手段が考えられる。本実施形態によれば、このような手段をとる場合と比べ、便鉢部１６の輪郭を大きく変えずに済む利点がある。
【００８８】
特に、小便により汚れ易い便鉢部１６の前面部２２Ｆに設けられた連続面４０での洗浄範囲を広範囲化できる。また、拭き掃除し難い便鉢部１６の後面部２２Ｂに設けられた連続面４０での洗浄範囲を広範囲化できる。
【００８９】
吐水部４２は、急斜面領域９０に形成される開口部３２を通して便鉢部１６内に洗浄水を吐き出す。よって、緩斜面領域９２、９４に開口部３２を形成するよりも、平面視において開口部３２が目立ち難くなり、良好な意匠性を得られる。また、この他にも、前述した（Ａ）の効果も得られる。
【００９０】
他の特徴を説明する。図４を参照する。棚面５０は、便鉢部１６の前面部２２Ｆ（一方の面部２２Ｘ）や後面部２２Ｂ（他方の面部）に設けられる便鉢部１６の前端又は後端より旋回方向Ｄｔにて前側緩斜面領域９２に接続される。詳しくは、棚面５０は、便鉢部１６の前端より旋回方向Ｄｔにて前側緩斜面領域９２に接続され、便鉢部１６の後端より旋回方向Ｄｔにて後側緩斜面領域９４に接続される。
【００９１】
これにより、前側緩斜面領域９２や後側緩斜面領域９４を経由する過程で遠心力を受けて上昇してから下降する洗浄水を棚面５０で受け易くなる。これに伴い、前側緩斜面領域９２や後側緩斜面領域９４を経由した洗浄水の多くを導水路４８により遠くまで届かせられる。
【００９２】
なお、棚面５０は、便鉢部１６の前面部２２Ｆにおいて、その便鉢部１６の前端より旋回流Ｆａの旋回方向Ｄｔとは反対側にて、前側緩斜面領域９２に接続される。また、棚面５０は、便鉢部１６の後面部２２Ｂにおいて、その全域において後側緩斜面領域９４に接続される。
【００９３】
汚物受け面２４の凹曲面部５６の一部は、便鉢部１６の前面部２２Ｆに設けられる。凹曲面部５６は、少なくとも便鉢部１６の左右中央部１６ｄにおいて、汚物受け面２４の下端縁部２４ｂから汚物受け面２４の外周端部２４ａまで連続する。凹曲面部５６は、便鉢部１６の左右中央部１６ｄにおいて、棚面５０を介さずに前側緩斜面領域９２に連なることになる。棚面５０は、便鉢部１６の前面部２２Ｆにて便鉢部１６の左右中央部１６ｄには設けられないとも捉えられる。
【００９４】
かりに、便鉢部１６の前面部２２Ｆにて左右中央部１６ｄに凸曲面状の棚面５０の内周端部５０ａ（凸曲面部５２）が設けられると、その内周端部５０ａに小便が当たったときに飛沫が生じ易くなる。この点、本実施形態によれば、その左右中央部１６ｄに凸曲面状の棚面５０の内周端部が設けられない構造となるため、小便の飛沫を抑制できる。
【００９５】
図１を参照する。便鉢部１６は、前述の開口部３２や開口部３２の奥側部分を除く範囲において、実質的に左右対称の位置に設けられる。汚物受け面２４は、棚面５０の内周端部５０ａから汚物受け面２４の下端縁部２４ｂまでの範囲において、実質的に左右対称の位置に設けられるとも捉えられる。また、棚面５０の内周端部５０ａは実質的に左右対称の位置に設けられるとも捉えられる。また、リム部２６の内周面は、前述の開口部３２を除く範囲において、実質的に左右対称の位置に設けられるとも捉えられる。
【００９６】
大便器１０でエッジとなる箇所は目視により位置を把握し易い。本実施形態では、このようなエッジとなる棚面５０の内周端部５０ａが左右対称の位置に設けられる。よって、製造誤差等に起因して棚面５０等の形状が左右で非対称となった場合、そのことを目視により判別し易くなり、検品作業の容易化を図れる。
【００９７】
（第２の実施の形態）
図１５は、第２実施形態の大便器１０の一部を示す側面断面図である。第１実施形態の大便器１０は、前側緩斜面領域９２及び後側緩斜面領域９４の傾斜角度θｂが実質的に同じである。これに対して、本実施形態の大便器１０は、前側緩斜面領域９２及び後側緩斜面領域９４の傾斜角度θｂが異なる。詳しくは、後側緩斜面領域９４は、前側緩斜面領域９２より鉛直面に対する傾斜角度θｂが緩やかとなる。本実施形態では、後側緩斜面領域９４の第２最傾斜部９４ａの全域での傾斜角度が、前側緩斜面領域９２の第１最傾斜部９２ａの傾斜角度より緩やかとなる。この理由を説明する。
【００９８】
前述の通り、吐水部４２が吐き出す洗浄水により形成される旋回流は、前側緩斜面領域９２（一方側第２面領域）を経由してから後側緩斜面領域９４（他方側第２面領域）を経由する。このため、後側緩斜面領域９４を経由するとき、前側緩斜面領域９２を経由するときより旋回流の水勢が弱くなり、遠心力を受けて広い上下範囲に届き難くなる。
【００９９】
（Ｂ）この点、本実施形態によれば、弱い水勢の旋回流が後側緩斜面領域９４を経由するときでも、その後側緩斜面領域９４の広い上下範囲に洗浄水を届かせ易くできる。特に、このような目的を果たすため、吐水部４２から吐き出される洗浄水を大流量化せずともよくなり、その大流量化に伴い前側緩斜面領域９２から洗浄水が飛び出す事態を避けられる。
【０１００】
以上、実施形態をもとに本発明を説明した。次に、各構成要素の変形例を説明する。
【０１０１】
便器装置１２は、洗い落とし式以外の他の洗浄方式を用いて洗浄してもよい。この洗浄方式とは、たとえば、サイホン式等である。
【０１０２】
便鉢部１６の開口部３２は、側面部２２Ｒ、２２Ｌの他に、前面部２２Ｆや後面部２２Ｂに形成されていてもよい。開口部３２は、急斜面領域９０の他に、緩斜面領域９２、９４に形成されていてもよい。開口部３２は便鉢部１６に複数形成されていてもよい。
【０１０３】
便鉢部１６の棚面５０等は、実質的に左右対称の位置に設けられていなくともよい。
【０１０４】
リム部２６の内周面には全周に亘る範囲でオーバーハング面が形成されていてもよい。リム部２６の内周面では、便鉢部１６の全周に亘る部位で傾斜角度を実質的に同じとしてもよい。
【０１０５】
連続面４０は、前述のオーバーハング面が形成されていなければよい。この条件を満たすのであれば、連続面４０は、少なくとも一部において、便鉢部１６の上端内縁部１６ａから下方に向かうにつれて、徐々に径方向外側に延びるように設けられていてもよい。
【０１０６】
吐水部４２の吐水口４４は、リム部２６の開口部３２の奥側に形成される例を説明したが、その開口部３２が吐水口４４を構成していてもよい。この場合、リム部２６の内周面にはオーバーハング面７６が設けられていなくともよい。吐水部４２により形成される旋回流Ｆａの旋回方向Ｄｔは時計回り方向でもよい。
【０１０７】
吐水部４２により形成される旋回流Ｆａが先に経由する便鉢部１６の前後方向Ｘの一端部１６ｂを便鉢部１６の後端部とし、その旋回流Ｆａが後で経由する便鉢部１６の他端部１６ｃを便鉢部１６の前端部としてもよい。この場合、便鉢部１６の一端部１６ｂが設けられる一方の面部２２Ｘは便鉢部１６の後面部２２Ｂとなり、便鉢部１６の他端部１６ｃが設けられる他方の面部は便鉢部１６の前面部２２Ｆとなる。
【０１０８】
実施形態のように、旋回流Ｆａが先に経由する便鉢部１６の一端部が便鉢部１６の前端部であり、その便鉢部１６の一端部が設けられる一方の面部２２Ｘが便鉢部１６の前面部２２Ｆである場合を考える。この場合、吐水部４２は、たとえば、便鉢部１６の前面部２２Ｆ（一方の面部２２Ｘ）に対して旋回方向Ｄｔとは周方向の反対側に隣り合う側面部２２Ｒや、その側面部２２Ｒに隣り合う後面部２２Ｂに設けられていればよい。
【０１０９】
旋回流Ｆａが先に経由する便鉢部１６の一端部が便鉢部１６の後端部であり、その便鉢部１６の一端部が設けられる一方の面部２２Ｘが便鉢部１６の後面部２２Ｂである場合を考える。この場合、吐水部４２は、たとえば、便鉢部１６の後面部２２Ｂ（一方の面部２２Ｘ）に対して旋回方向Ｄｔとは周方向の反対側に隣り合う側面部２２Ｌや、その側面部２２Ｌに隣り合う前面部２２Ｆに設けられていればよい。
【０１１０】
（第１の工夫点）
上方誘導部７２は、導水路４８の増加区間６２が構成する例を説明したが、その具体例は特に限定されない。上方誘導部７２は、たとえば、吐水部４２の通水路４６の底面や導水路４８の棚面５０に形成される凸部でもよい。この他にも、それらに形成されるとともに旋回方向Ｄｔに向かって上り勾配となる傾斜面でもよい。
【０１１１】
上方誘導部７２は、吐水部４２が吐き出した洗浄水の一部を上方に誘導する例を説明したが、その全部を上方に誘導してもよい。
【０１１２】
内方誘導部７４は、導水路４８の増加区間６２が構成する例を説明したが、その具体例は特に限定されない。内方誘導部７４は、たとえば、導水路４８の棚面５０に形成される凸部でもよい。
【０１１３】
上方誘導部７２や内方誘導部７４は、吐水口４４の近傍とは異なる箇所に設けられてもよい。
【０１１４】
上方誘導部７２と内方誘導部７４のそれぞれは導水路４８の同じ部位（増加区間６２）が構成する例を説明したが、互いに別々の部位が構成してもよいし、いずれか一方がなくともよい。
【０１１５】
導水路４８の増加区間６２は、吐水部４２の外側に形成される例を説明したが、吐水部４２の内側に形成されてもよい。
【０１１６】
導水路４８の増加区間６２と他の区間６８は減少区間６６を介さずに段差面を介して繋がっていてもよい。
【０１１７】
水洗大便器１０は、前述の第１誘導流Ｆｃを形成するように構成されるうえで上方誘導部７２を備える例を説明したが、その上方誘導部７２を備えていなくともよい。
【０１１８】
（第２の工夫点）
第１面領域９０は、鉛直面に対して傾斜した急斜面領域が構成する例を説明したが、鉛直面に対して実質的に平行な鉛直面領域が構成していてもよい。
【０１１９】
緩斜面領域９２、９４は、便鉢部１６の前面部２２Ｆ及び後面部２２Ｂのうちの一方にのみ設けられていてもよい。
【０１２０】
旋回流Ｆａが後側緩斜面領域９４を経由してから前側緩斜面領域９２を経由する場合を考える。この場合、前述の（Ｂ）の効果を得るうえでは、後側緩斜面領域９４より前側緩斜面領域９２の傾斜角度θｂが緩やかであればよい。
【０１２１】
第１面領域９０は、便鉢部１６の側面部２２Ｒに設けられ、第２面領域９２、９４は、便鉢部１６の前面部２２Ｆ、後面部２２Ｂに設けられる例を説明した。この他にも、平面視において、第１面領域９０を第３範囲内の曲率半径の曲面状とし、第２面領域９２、９４を第３範囲の曲率半径より小さい曲率半径の曲面状とし、これらを便鉢部１６の前面部２２等と無関係の位置に設けてもよい。これは、たとえば、平面視において、リム部２６の内周面が矩形状を呈しており、その矩形の四辺の辺部が曲面状の第１面領域９０となり、その四辺の角部が曲面状の第２面領域９２、９４となる場合を想定している。
【０１２２】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１２３】
以上の実施形態、変形例により具体化される発明を一般化すると、以下の技術的思想が導かれる。以下、発明が解決しようとする課題に記載の態様を用いて説明する。
【０１２４】
第２態様の水洗大便器は、第１態様において、前記上方誘導部により上方に誘導された洗浄水は、前記洗浄水経路上にて上向きに流れてから下向きに流れる誘導流を形成してもよい。
【０１２５】
第３態様の水洗大便器は、第２態様において、前記誘導流は、下向きに流れる過程で他の水流と合流しつつ、その合流した他の水流とともに前記一方の面部を伝う過程で遠心力により上向きに流れてもよい。この態様によれば、誘導流が他の水流と合流しつつ上向きに流れない場合より、一方の面部での洗浄範囲を上下方向に広範囲化できる。
【０１２６】
第４態様の水洗大便器は、第１から第３態様において、前記リム部の内周面には、前記一方の面部において、前記便鉢部の上端内縁部から前記汚物受け面の外周端部までオーバーハング面が形成されることなく連続する連続面が設けられてもよい。この態様によれば、一方の面部にオーバーハング面がなくとも、その連続面を伝う洗浄水の飛び出しを抑制できる。
【０１２７】
第５態様の水洗大便器は、第１から第４態様のいずれかにおいて、前記吐水部は、前記便鉢部の側面部に形成される開口部を通して前記便鉢部内に洗浄水を吐き出してもよい。この態様によれば、便鉢部の後面部に開口部を形成する場合と比べ、水洗大便器の正面側から開口部に手が届きやすくなり、良好な清掃性を得られる。
【０１２８】
第６態様の水洗大便器は、第５態様において、前記リム部の内周面には、前記便鉢部の上端内縁部から前記汚物受け面の外周端部までオーバーハング面が形成されることなく連続する連続面が設けられ、前記リム部の内周面には、前記開口部以外の箇所にて、前記便鉢部の全周に亘る範囲で前記連続面が設けられてもよい。この態様によれば、便鉢部の周方向の広い範囲にて、拭き掃除で手の届き難いオーバーハング面が設けられないため、リム部の内周面を拭き易くなる。
【０１２９】
第７態様の水洗大便器は、第１から第６態様のいずれかにおいて、前記洗浄水を前記旋回流の旋回方向に導く導水路を備え、前記導水路は、前記導水路の下側内隅部を構成する曲面部を有し、前記曲面部は、前記旋回方向に向かうにつれて曲率半径が連続的に増加する増加区間を有し、前記上方誘導部は、前記増加区間が構成してもよい。この態様によれば、導水路の底面に広範囲で凹凸を形成することなく上方誘導部を構成でき、良好な意匠性を得られる。
【０１３０】
第８態様の水洗大便器は、第７態様において、前記曲面部は、前記増加区間より前記旋回方向に設けられ、前記旋回方向に向かうにつれて曲率半径が連続的に減少する減少区間を有してもよい。この態様によれば、導水路の曲面部に増加区間がある場合に、増加区間より旋回方向に設けられる曲率半径の小さい他の区間と増加区間の間で目立つような段差面が形成されず、良好な意匠性を得られる。
【０１３１】
第９態様の水洗大便器は、第１から第８態様のいずれかにおいて、前記上方誘導部により上方に誘導される洗浄水に上方から接触するオーバーハング面を備えてもよい。この態様によれば、洗浄水供給装置からの洗浄水供給量が急激に増大してしまい、上方誘導部により洗浄水が大きく上昇しようとした場合でも、オーバーハング面により洗浄水の上昇を規制できる。
【符号の説明】
【０１３２】
１０…水洗大便器、１６…便鉢部、１６ａ…上端内縁部、１６ｂ…一端部、１６ｄ…左右中央部、２２Ｂ…後面部、２２Ｆ…前面部、２２Ｌ…左側面部、２２Ｒ…右側面部、２２Ｘ…一方の面部、２４…汚物受け面、２４ａ…外周端部、２４ｂ…下端縁部、２６…リム部、３２…開口部、４０…連続面、４２…吐水部、４４…吐水口、４８…導水路、５０…棚面、５０ａ…内周端部、５６…凹曲面部、５８…曲面部、６２…増加区間、６６…減少区間、７０…洗浄水経路、７２…上方誘導部、７４…内方誘導部、７６…オーバーハング面、９０…第１面領域、９２，９４…第２面領域。
【図１】
2020026679.tif 000003
【図２】
2020026679.tif 000004
【図３】
2020026679.tif 000005
【図４】
2020026679.tif 000006
【図５】
2020026679.tif 000007
【図６】
2020026679.tif 000008
【図７】
2020026679.tif 000009
【図８】
2020026679.tif 000010
【図９】
2020026679.tif 000011
【図１０】
2020026679.tif 000012
【図１１】
2020026679.tif 000013
【図１２】
2020026679.tif 000014
【図１３】
2020026679.tif 000015
【図１４】
2020026679.tif 000016
【図１５】
2020026679.tif 000017